(57)【要約】多目的ブラシは、実質的に平坦な上部（１２）及び実質的に平坦な底部（１１）及び湾曲した側端（１３）を伴う、人間工学的に形成される実質的に板状でかつ弾性的に変形可能なブラシ胴体（１０）を有する。弾性的で実質的に円錐状の毛づくろい要素（２０）は底部（１１）に配置される。ブラシ胴体（１０）の上部（１２）には歯状のすき要素（３０）がある。毛づくろい要素はブラシ掛けをされる家畜の毛皮を深く手入れすることに役立ち、かつすき要素は毛皮をすきとりかつ滑らかにすることに役立つ。ブラシが毛皮を通り過ぎる方向に応じて力の異なる毛づくろい及びすき効果が生じるように、毛づくろい及びすき要素の構造及び配置が選択される。ブラシは衣類用ブラシ又は布張り家具又は絨毯用としても用いることができる。
2011524168.tif 000002
【特許請求の範囲】
【請求項１】
実質的に平坦な上部（１２）及び実質的に平坦な底部（１１）及び湾曲した側端（１３）のほかに底部（１１）に配置された弾性的かつ実質的に円錐形の毛づくろい要素（２０）を有する、実質的に板状の弾性的に変形可能なブラシ胴体（１０）を有し、歯状のすき要素（３０）がブラシ胴体（１０）の上部（１２）に配置されているブラシ。
【請求項２】
底部（１１）の毛づくろい要素（２０）及び上部（１２）のすき要素（３０）
が、ブラシが互いに垂直な方向（ｘ、ｙ）に使われるときに異なる毛づくろい効果及びすき効果が得られるように形成され配置されている、請求項１に記載のブラシ。
【請求項３】
毛づくろい要素（２０）が第１方向（ｘ）において、それに垂直な第２方向（ｙ）におけるよりも高い変形剛性を有する、請求項２に記載のブラシ。
【請求項４】
毛づくろい要素（２０）が実質的に卵形又は楕円形の断面を有し、断面のより長い方の軸が実質的に第１方向（ｘ）に平行である、請求項３に記載のブラシ。
【請求項５】
毛づくろい要素（２０）が実質的に先端を切り取った円錐状に形成されている、請求項２から請求項４のうちのいずれかに記載のブラシ。
【請求項６】
毛づくろい要素（２０）が平行な列に配置され、隣接する列の毛づくろい要素が互いに互い違いである、請求項３から請求項５のうちのいずれかに記載のブラシ。
【請求項７】
第１方向（ｘ）におけるすき要素（３０）が、それに垂直な第２方向（ｙ）とは異なる歯の外形を有する、請求項２から請求項６のうちのいずれかに記載のブラシ。
【請求項８】
すき要素（３０）が、互いに間隔を置いて配置されている歯（３１）の複列を形成し、かつ実質的に第１方向（ｘ）を横切って伸びている、請求項７に記載のブラシ。
【請求項９】
歯（３１）の複列がわずかに湾曲している、請求項８に記載のブラシ。
【請求項１０】
歯（３１）の複列の各々が交互に配置される複数の歯の対を有し、各々の歯の対の２つの歯（３２ａ、３２ｂ）が、歯の複列の長手方向を横切るように並んで配置され、歯の対（３１）が長手方向を横切る方向に実質的にＭ型の外形を有するように、互いに内向きに向きあう側の勾配のほうが互いに外方に向きあう側の勾配より小さくなるような歯の側面を有する、請求項８又は請求項９に記載のブラシ。
【請求項１１】
歯（３１）の複列の長手方向において歯（３２ａ、３２ｂ）の各々が実質的に三角型の外形を有する、請求項１０に記載のブラシ。
【請求項１２】
ブラシ胴体（１０）の上部（１２）に少なくとも１列のピン状の先のとがった要素（４０）が、側端（１３）の第１部分（１３ａ）に沿って配置されている、請求項１から請求項１１のうちのいずれかひとつに記載のブラシ。
【請求項１３】
ブラシ胴体（１０）の側端の第１部分（１３ａ）が凹形である、請求項１から請求項１２のうちのいずれかひとつに記載のブラシ。
【請求項１４】
ブラシ胴体（１０）の第２部分（１３ｂ）及び第３部分（１３ｃ）が凹形であり、第２部分及び第３部分が第１部分の反対側にあり、かつ第４凸形部分（１３ｄ）によって隔てられている、請求項１３に記載のブラシ。
【請求項１５】
ブラシ胴体（１０）が弾性的に変形可能である、請求項１から請求項１４のうちのいずれかひとつに記載のブラシ。
【請求項１６】
ブラシ胴体（１０）、毛づくろい要素（２０）、すき要素（３０）、及び先のとがった要素（４０）が一体的に同じ材料から形成されている、請求項１から請求項１５のうちのいずれかひとつに記載のブラシ。
【発明の詳細な説明】
【技術分野】
【０００１】
本発明は、独立請求項の一般的部分によるブラシに関するものである。
【背景技術】
【０００２】
家畜、特に猫及び犬、の毛づくろいを行うことを目的とした一般的な種類のブラシは例えば米国特許明細書第５，４８５，８０７号から知られている。そこで記載される毛づくろいブラシは、主として毛づくろい効果は有してはいるものの、毛皮の毛をすきとるため及び毛皮を滑らかにするためのみに限定された適合性をもったものでしかない。
【発明の概要】
【０００３】
本発明の目的は、一般的な種類のブラシを、家畜、特に猫及び犬の毛づくろいの全ての側面に普遍的に用いられるように改良することである。しかしながら、このブラシは同時に衣類用ブラシ及び布張り家具、絨毯などにも適したものである。
【０００４】
本発明の根底にある問題の解決方法は、独立請求項の特徴部分を特徴とする本発明によるブラシにある。好ましい実施形態及び開発は従属請求項の内容である。
【０００５】
本発明の本旨によると、ブラシには毛づくろい要素だけではなく歯状のすき要素も備わっている。このことは、一方では毛づくろい要素で毛づくろいをされる家畜の毛皮の深くまで手入れすること、及び、他方ではすき要素で毛皮をすきとり、その後毛皮を滑らかにすることを可能にする。
【０００６】
毛づくろい及びすき要素は、好ましくは毛づくろい及びすき効果が方向依存性の結果となるように形成されかつ配置される。毛づくろい及びすき効果は、第１方向においてはより強く、かつそれに垂直な第２方向においてはより弱く、かつその中間の方向においては毛づくろい及びすき効果は対応する中間値をとる。手入れの方向、言い換えると、手入れをしようとする毛皮をブラシが通り過ぎる方向、を適切に選ぶことにより、手入れをしようとする毛皮の種類及び状態への最適な適応を達成することができる。
【０００７】
毛づくろい要素は好ましくは、卵形又は楕円形の断面を有する、先端を切り取った円錐状の形をしている。この理由で、各々の毛づくろい要素は異なる方向に異なる変形剛性を有し、かつ毛づくろい効果はそれに応じて方向依存性がある。
【０００８】
毛づくろい要素は好ましくは、わずかに湾曲した複列の歯によって形成されている。複列の歯の長手方向では、複列の歯の各々の歯は三角型の外形をしており、かつそれに垂直な方向では、各々の歯の対はほぼＭ型の外形をしている。このことは方向依存性のすき効果をうむ。
【０００９】
ブラシの胴体は人間工学的な形状で、かつこの目的を達成するために、好ましくは、一方の側の端には凹形の形状が、かつ反対の側の端には１つの凸形の部分で隔てられた２つの凹形の部分が備わっている。この構造の理由で、ブラシは手の中に特別によく収まる
【図面の簡単な説明】
【００１０】
【図１】本発明によるブラシの第１実施形態の全体斜視図
【図２】図１に示されるブラシの毛づくろい側からの斜視図
【図３】ブラシの毛づくろい側の正面図
【図４】ブラシのすき側の拡大詳細図
【図５】本発明によるブラシの第２実施形態のすき側からの斜視図
【図６】本発明によるブラシの第２実施形態の毛づくろい側からの斜視図
【図７】本発明によるブラシの第２実施形態のすき側の拡大詳細図
【図８】本発明によるブラシの第３実施形態のすき側からの斜視図
【図９】本発明によるブラシの第３実施形態の毛づくろい側からの斜視図及び
【図１０】本発明によるブラシの第３実施形態のすき側からの拡大詳細図
【発明を実施するための形態】
【００１１】
以下に本発明が図を用いて示される。
図に示されるブラシは、平坦な底部１１及び平坦な上部１２のほかに湾曲した側端１３を有する、実質的には板状のブラシ胴体１０を含む。側端は、第１凹形部分１３ａ及びその反対側に第２凹形部分１３ｂ及び第３凹形部分１３ｃのほかに、２つの凹形部分１３ｂ及び１３ｃを隔てる第４凸形部分１３ｄを含む。上から又は下から見ると、ブラシ胴体１０は丸みのある角を伴ったほぼ長方形である。以下ブラシ胴体の長辺方向をｘ方向と称し、短辺方向をｙ方向と称する。図３はこれを示す。ブラシ胴体１０は、例えばシリコンのような弾性的に変形可能な材質から成り、従って、実際に使うときには、毛づくろいされる家畜の体型に寄り添うようになじませることができる。毛づくろいされる家畜によって、選択される弾性材料をやや柔らかめ（例えば猫用には）又はやや硬め（例えば犬用には）にすることができる。
【００１２】
底部１１には複数の毛づくろい要素２０が配置されており、かつブラシ胴体１０の上部１２には複数の歯状のすき要素３０及び１列のピン状の先のとがった要素４０がある。
【００１３】
ブラシ胴体１０、毛づくろい要素２０、すき要素３０、及び先のとがった要素４０は
好ましくは例えばシリコンのような弾力性のある材料から一体的に形成される。もう１つの方法として、ブラシ胴体１０はまた２つの相互接続した層で構成され、毛づくろい要素２０が一体的に一方の層を、かつすき要素３０及び先のとがった要素４０が他方の層を形成する。
【００１４】
毛づくろい要素２０は平行な列に配置されており、毛づくろい要素の隣接した列は互いに互い違いになっている。毛づくろい要素は実質的には先端を切り取った円錐状に形成され、かつ卵形又は楕円形の断面を有する。このことは、図２及び図３で特別によく見ることができる。毛づくろい要素２０は例えばシリコンのような、２５から４５の範囲内のショアー硬さを有する弾力性のある材料で構成される。その楕円形の断面ゆえに、毛づくろい要素の変形剛性はｘ方向ではそれを横断するｙ方向よりわずかに高めになっている。毛づくろい要素２０は、例えば底部では約８又は４ｍｍ、扁平な先端部では約３ｍｍで、かつ高さは約１２ｍｍである。
【００１５】
ブラシ胴体１０の上部１２にある歯状のすき要素３０は歯３１の多数の複列として形成されている。歯３１の複列はわずかに湾曲しており、かつお互いに間隔を置いて配置されている。歯３１の複列はブラシ胴体１０の長辺方向を実質的には横切って、言い換えると実質的にはｙ方向にそって伸びている。
【００１６】
歯３１の複列の各々は複数の歯３２ａ及び３２ｂの対で構成される。各々の歯の対の２つの歯３２ａ及び３２ｂは、お互いからみて外方に向きあう側面の勾配のほうがお互いに内向きに向きあう側面の勾配より顕著に大きくなるように形成される。従って、ｘ方向における歯の対は（ｙ方向から見ると）近似的にＭ型の外形をしている。ｙ方向における歯３２ａ及び３２ｂは（ｘ方向から見ると）実質的には左右対称の形状で、かつ実質的には三角型の歯の外形をしている。異なる歯の外形は、ブラシをｘ方向に使うかｙ方向に使うかによって結果的に異なるすき効果をもたらす。すき要素３０の特別な形状は、図４でその拡大詳細図を特別によく見ることができる。
【００１７】
ピン状の先のとがった要素４０は、ブラシ胴体１０の側端１３の第１凹形部分１３ａに沿って１列に配置されている。これらは毛づくろいの最後の過程において毛皮を滑らかにすることに役立つ。
【００１８】
ブラシは、好ましくは特別なショアー硬さを有して（例えば猫又は犬用に）、すき要素を伴う上部が、毛づくろい要素を伴う底部とは異なるショアー硬さを有することが可能な可塑性物質（例えばシリコン又はシリコンのような材料）でできている。ブラシは鋳造法又は射出成形法にて、一体的に又は数個の部品に分けて製造することができる。中が空洞の鋳型のほかにフルモールドもまた用いることができる。ブラシは単色、多色、又は透明でもあり得る。本発明の、適合したショアー硬さのブラシを使用することによって、下毛を剥ぎ取ることなく（金属製の馬櫛の場合のように）あるいは家畜にけがをさせることすらもなく（例えば眼の部分において）、家畜の毛皮が最適に毛づくろいでき、かつ脱毛できる。ブラシは３次元的に曲げることができるため、家畜の体に合わせることができ、かつブラシの構造化された表面は毛づくろい中にその効果を最適に広げることができる
【００１９】
ブラシ胴体の人間工学的な形及びその変形能（材料の選択ゆえの）は、毛づくろいをしている人に家畜のための最適の感受性を与える「延長された手」のようなものを結果的にもたらす。材料の選択しだいで、毛づくろいをしている人の手の中に握られていることを通じて、上記ブラシ胴体をわずかに暖かくさせることができ、そのことは家畜のための体感受性をさらに増進させる。
【００２０】
毛づくろい要素は、下毛まで深く侵入することを保証するために少し固めに設計される。しかし、毛づくろい要素は、いかなるけがの危険性をも排除するために、依然として充分しなやかである。
【００２１】
毛づくろい要素の形状は、毛皮を通り抜ける方向によって鋤のように又ははぎ取るような具合に機能するように選択される。毛づくろい要素の先端、言い換えると毛皮の中に侵入する部分、は扁平又はとげ状になっている。毛づくろい要素は、毛づくろい要素が最適なほぐし効果を与えるように互い違いになっている。毛づくろい要素の構造及び形状だけでなく柔軟性のために、家畜の下毛は傷つかない。
【００２２】
ブラシ胴体上部の歯状のすき要素の特別な構造により、毛皮の使われなくなった毛はからめられ、静かに引き抜かれ、かつ横位置に運ばれる。この位置で、すきとられて除去された毛は集められて小さな巻き毛となるので、毛が周辺（不健康でアレルギー症の人）に飛散することはなく、かつ微小な巻き毛は毛づくろい後迅速に、容易にかつ非常に衛生的に除去し捨てることができる。
【００２３】
ブラシ上部に複数のすき要素があるため、手の表面の全部の圧力は、すき要素が手を不快にしないように分配される。構造的な形状を変更しないで、器具全体をわずかに３次元的な枕形にすることは考えられる。
【００２４】
方向依存性のある異なる歯の外形及び歯の複列のわずかな湾曲のために、家畜の毛皮への表面効果はさらにより包括的に優れており、かつ試験結果によると家畜にとって最も心地良いものである。
【００２５】
本発明のブラシは業務用にも適している。他方では本発明のブラシは、毛づくろいを通しての家畜への接触を確立するために、子供（教育学的に）及び場合によっては身体障害者（治療的に）に価値がありかつあらゆる点で安全かつ無害な手段をも与える。
【００２６】
図５から図７では、第１実施形態と同様に、毛皮ブラシとしての使用にも特別に適したブラシの第２実施形態を示す。ブラシ胴体１０の毛づくろい側には、毛づくろい要素２０の間に、より小さくかつより短い毛づくろい要素２０ａが配置されている。すき側には、先のとがった要素４０が１列ではなく数列配置されている。ブラシ胴体１０は、改良された変形能及びそれゆえの適応能力を与える多数の空洞空間を有する。このことは、結果的に材料の節減をももたらす。それを別にすると、ブラシは図１から図４の実施形態と同じ原理で形成される。
【００２７】
最後に、図８から図１０は、特に衣類用ブラシ又は布張り家具及び絨毯用として適した、本発明によるブラシの第３実施形態を示す。この実施形態においては、ブラシ胴体１０のすき側にはわずかにより少ない数の歯３１の複列が配置されるが、歯３１の各々の複列の間にはわずかに湾曲した、毛づくろい要素２０と実質的には同じように形成される、数個の歯３３の単列も配置される。ブラシ胴体１０のすき側にも数列の先のとがった要素４０が配置される。それを別にすると、ブラシは図１から図４の実施形態と同じ原理で形成される。
【図１】
2011524168.tif 000003
【図２】
2011524168.tif 000004
【図３】
2011524168.tif 000005
【図４】
2011524168.tif 000006
【図５】
2011524168.tif 000007
【図６】
2011524168.tif 000008
【図７】
2011524168.tif 000009
【図８】
2011524168.tif 000010
【図９】
2011524168.tif 000011
【図１０】
2011524168.tif 000012
【国際調査報告】
2011524168.tif 000013
2011524168.tif 000014
2011524168.tif 000015
2011524168.tif 000016